(57)【特許請求の範囲】
【請求項１】
錠ケース３内に、閉戸時に戸枠体２への当接で後退するトリガー９と、その後退時に鎌部材４を前方へ回動させる作動部材１０と、前方への回動で戸枠体２の掛止金具７の掛止部材８へ先端部６が掛止可能な鎌部材４と、該鎌部材４を一定の基準線Ｌを境に前方または後方へ付勢するバネ１１を備えた引き戸用鎌錠において、上記鎌部材４の下方位置に、下部に重り部１６を有し上部寄りに腕片１７をもつと共に、引き戸１を閉めた際の慣性力で揺動可能な揺動部材１５を横軸１８で軸支し、戸枠体２の掛止部材８へ掛止状態になった直後の鎌部材４の周端縁の一部１９を、該揺動部材１５の腕片１７で一瞬間だけ支承可能としてなる、引き戸用鎌錠。
【請求項２】
錠ケース３内に、閉戸時に戸枠体２への当接で後退するトリガー９と、その後退時に鎌部材４を前方へ回動させる作動部材１０と、前方への回動で戸枠体２の掛止金具７の掛止部材８へ先端部６が掛止可能な鎌部材４と、該鎌部材４を一定の基準線Ｌを境に前方または後方へ付勢するバネ１１を備えた引き戸用鎌錠において、上記鎌部材４の下方位置に、下部に重り部１６を有し上部寄りに腕片１７をもつと共に、引き戸１を閉めた際の慣性力で揺動可能な揺動部材１５を横軸１８で軸支し、戸枠体２の掛止部材８へ掛止状態になった直後の鎌部材４の周端縁の一部１９を、該揺動部材１５の腕片１７で一瞬間だけ支承可能とし、かつ、上記鎌部材４の支軸５を軸支する前方向に長い長孔２０を、前下方へも長く形成してなる、引き戸用鎌錠。
【請求項３】
請求項１または２に記載の引き戸用鎌錠において、鎌部材４の先端部６を側面図で見て円弧状に形成すると共に、掛止金具７の掛止部材８で鎌部材４の先端部６が掛止される側の下半部を、鎌部材４の後退する方向へ傾斜状に形成してなる、引き戸用鎌錠。
【請求項４】
請求項１〜３のいずれかに記載の引き戸用鎌錠において、錠ケース３の前面板２７に位置決め用突起２８を形成し、他方掛止金具７に上記突起２８を係合可能な位置決め用凹所２９を形成すると共に、掛止金具７の取付け孔３０を上下に長く形成してなる、引き戸用鎌錠。
【発明の詳細な説明】
【０００１】
【発明の属する技術分野】
本発明は、引き戸を閉めた際に自動的に鎌部材が出て、戸枠体側の掛止部材へ引っ掛かり（仮施錠状態や空締まり状態ともいう）、引き戸を開ける際に鎌部材が掛止部材から自動的に外れて、錠内へ収納されるようにした引き戸用鎌錠に関するものであり、特に引き戸を閉めた際に戸枠体側との衝突でバウンドして、鎌部材が掛止部材から勝手に外れるのを確実に防止でき、かつ引き戸を開ける際は軽い力で開けられるようにしたものである。
【０００２】
【従来の技術】
引き戸用鎌錠は、かつては和風家屋の出入り口等の引き戸に設けられることが多かったが、近時は家屋内で風呂・トイレ・勉強部屋のような個室の出入り口の引き戸に設けられることも多くなっている。
この引き戸用鎌錠は、従来より用途・機能等によって幾つかのものに分類できるが、大別すると次のようなものがある。
【０００３】
ａ）第１に、引き戸を閉じた後に手動で鎌部材を突出させて戸枠体の掛止部に掛止させ、また引き戸を開ける際も手動で鎌部材を掛止部から外し錠ケース内へ収納させてから、引き戸を開けるようにしたもの（例えば実開平５−４７２６３号公報参照）。
ｂ）第２に、引き戸が閉まった際に鎌部材が自動的に錠から出て、戸枠体の掛止部へ引っ掛かるが、引き戸を開ける際は手動で鎌部材を掛止部から外し錠ケース内へ収納させてから、引き戸を開けるようにしたもの（例えば実開昭６０−１３５４６０公報、実開平７−２６５４９号公報参照）。
【０００４】
ｃ）第３に、引き戸が閉まった際に鎌部材が自動的に錠から出て、戸枠体の掛止部へ引っ掛かり、かつ引き戸を開けると鎌部材が自動的に掛止部から外れ、錠ケース内へ収納されるようにしたもの（例えば特公昭５６−３３５５３公報、実公平３−２４７７８号公報、特開平８−８６１３２号公報等参照）、がある。
本発明の引き戸用鎌錠は、上記ｃ）の第３のものに属するので、それらを少し詳しく述べる。
【０００５】
（イ）  まず特公昭５６−３３５５３公報には、錠ケース内に鎌部材を先端部が前・後方向へ回動して出入自在に軸支し、該鎌部材の支軸を錠ケースの前後方向の長孔に移動自在に係合させて、該支軸を常時は後方へ付勢する引っ張りバネを設け、また錠ケースにトリガーを先端部が前・後方向へ出入自在に設けて、該トリガー部材と鎌部材間にトリガー後退時に鎌部材を前方へ回動させる作動部材を連結し、かつトリガーを常時は前方へ付勢する引っ張りバネを設けたものが記載されている。なお、別のロックレバーにより仮施錠状態時の鎌部材を掛止して、ロックすることも可能である。
【０００６】
これは、引き戸を閉めた際に、突出したトリガーが戸枠体に当たり錠ケース内へ後退することで、これと連動した作動部材を介して鎌部材の先端部が前方へ回動し始め、引っ張りバネの付勢でさらに前方へ回動して、戸枠体の掛止部に掛止され、仮施錠状態となる。また引き戸を開けた際には、鎌部材は先端部が掛止部内面に当たった状態で後方へ引かれて前倒しになるが、さらに引かれて鎌部材は支軸を中心に後方へ回動し、掛止部から外れて錠内へ没入して仮施錠状態が解かれる。
【０００７】
上記の引き戸を閉めた際に、錠は鎌部材で施錠状態になるが、鎌部材はその先端部を掛止部に引っ掛けた状態で支軸が引っ張りバネで引かれ、引き戸が戸枠体側へ引っ張られているため、戸枠体が傾斜していても閉戸状態が維持されると共に、引き戸を閉めた際にバウンド（はね返り）が防止されている。
（ロ）  次に、実公平３−２４７７８号公報に記載のものは、トリガーが戸枠体側から突出したものであるため、それに対応してその構造は上記特公昭５６−３３５５３公報に記載のものと少し異なるが、引き戸を閉めた際に後退するトリガーが鎌錠内の第１作動部材を後退させ、これが第２作動部材を介して鎌部材を前方へ回動・突出させて、戸枠体の掛止部へ掛止させると共に、引き戸を閉じた際にトリガーから外れた第１作動部材が前進し、第２作動部材を介して鎌部材をねじりコイルバネに抗して後方へ回動可能としてある。なお、別のロックレバーにより仮施錠状態時の鎌部材を掛止して、ロックすることも可能である。
【０００８】
上記の引き戸を閉めた際に、錠は鎌部材で仮施錠状態になるが、鎌部材は先端部を係止部に係止された状態でねじりコイルバネで後方へ引かれ、引き戸が戸枠体側へ引き寄せられるため、戸枠体が傾斜していても閉戸状態が維持されると共に、引き戸を強い勢いで閉めた際のバウンドも防止されている。
（ハ）  更に、特開平８−８６１３２号公報の請求項２および図面には、錠ケース内にトリガーバネにより出没自在に嵌装されたトリガーと、該トリガーとの間に形成されたラックとピニオンの変換機構を介して、トリガーの後退により突出され、かつトリガーの突出により後退される鎌部材と、回動突出された鎌部材の係止部を施解錠操作部材の作動により係止して、該鎌部材の後退を阻止し本施錠状態とする係止片とを備え、上記トリガーには係合凹部を形成すると共に、閉戸時にトリガーが後退位置へきた際に係合凹部へ係合するストッパー部材をバネにより付勢して設けたものが記載されている。
【０００９】
これは、引き戸を閉めた際にトリガーが後退することで、変換機構を介して鎌部材が前方へ回動し先端部が戸枠体の掛止部に掛止されて仮施錠状態となる。また引き戸を開ける際には、先端部が掛止部に引っ掛かった鎌部材が強制的に引かれるので、鎌部材が後方へ回動し始めるが、それに伴い変換機構によりトリガーは前方へ移動され、かつストッパー部材も係合凹部から外れて前方へ突出し、同時に鎌部材がさらに後方へ回動して掛止部から外れて錠ケース内へ没入し、仮施錠状態が解かれる。
【００１０】
上記の引き戸を閉めた際に、錠は鎌部材で施錠状態にあるが、後退位置のトリガーはその係合凹部にストッパー部材が係合して前進を係止されており、ラックとピニオンの変換機構を介して鎌部材も不用意に後方へ回動するのを阻止されている。そのため、戸枠体が傾斜していても閉戸状態が維持されると共に、引き戸を強い勢いで閉めた際のバウンドが防止されている。
【００１１】
なお、室内側の操作部を操作することで、施解錠操作部材が作動して仮施錠状態時の鎌部材の係止部を係止し、鎌部材の後方への回動を阻止して本施錠状態になるし、かつその係止部の係止を解くことで仮施錠状態に戻すこともできるようにしてある。
【００１２】
【発明が解決しようとする課題】
従来のバウンド防止を考慮した引き戸用鎌錠では、上記イ、ロで示した錠の如く鎌部材を引っ張りバネやねじりコイルバネで後方へ引っ張って、引き戸を戸枠体側へ引き寄せるようにしたり、ハで示した錠の如くトリガーを係止するストッパー部材をバネで押圧したりして、引き戸を閉めることで自動的に一旦戸枠体の掛止部に引っ掛かった鎌部材が、引き戸のバウンドで不用意に後方へ回動して外れることの無いようにしてある。
【００１３】
ところで、引き戸を閉めた際のバウンドの大きさは、例えば引き戸の重さや引き戸と敷居やレールとの関係等で違いが生じる。例えば引き戸が軽いものであったり、敷居やレールが滑り易かったりすると、引き戸は大きくバウンドして開く方向へ移動しようとする。そのため、引き戸のバウンドが大きい場合には、引き戸を開ける際に自動的に仮施錠状態が解除されるのと同様に、上記のバネに抗して鎌部材が後方へ回動しまたはトリガーが前進して、鎌部材の先端部が掛止部から外れてしまうことがある。
【００１４】
そこで上記従来のイ、ロ、ハで示した引き戸用鎌錠では、大きなバウンドに対応すべく、鎌部材を後方へ引く引っ張りバネやねじりコイルバネ、あるいはストッパーを押圧するバネのバネ力を、予め強いものに設定しておくことが考えられる。これは確かに引き戸が大きくバウンドしようとしても、該バネの力で鎌部材が不用意に後方へ回動することを阻止し、バウンドを抑えることができる。
【００１５】
しかしそれでは、引き戸を開ける際に先端部が掛止部に引っ掛かった鎌部材を後方へ回動させるために、その強いバネ力に打ち勝つ大きな力で引き戸を引っ張ることが必要となる。例えば病弱者や老人・子供等には、この引き戸用鎌錠の付いた引き戸を開けられなくなってしまうし、引き戸を開けることで仮施錠状態が自動的に解除できるというこの錠の主要な特徴を失うことになってしまう、という問題点がある。
【００１６】
本発明は、引き戸の閉または開により、自動的に仮施錠状態になったり解除されたりする構造の引き戸用鎌錠において、上記の問題点をシンプルな構成で解決することを課題としたものである。即ち本発明の目的は、引き戸を開けた際に仮施錠状態が自動的に解除される機能を害することなく、引き戸のバウンド防止を確実に行えると共に、軽い力で引き戸を開けることができる、引き戸用鎌錠を提供することである。
【００１７】
【課題を解決するための手段】
（Ａ）  本発明に係る引き戸用鎌錠の第１のものは、
錠ケース３内に、閉戸時に戸枠体２への当接で後退するトリガー９と、その後退時に鎌部材４を前方へ回動させる作動部材１０と、前方への回動で戸枠体２の掛止金具７の掛止部材８へ先端部６が掛止可能な鎌部材４と、該鎌部材４を一定の基準線Ｌを境に前方または後方へ付勢するバネ１１を備えた引き戸用鎌錠において、上記鎌部材４の下方位置に、下部に重り部１６を有し上部寄りに腕片１７をもつと共に、引き戸１を閉めた際の慣性力で揺動可能な揺動部材１５を横軸１８で軸支し、戸枠体２の掛止部材８へ掛止状態になった直後の鎌部材４の周端縁の一部１９を、該揺動部材１５の腕片１７で一瞬間だけ支承可能としてなるものである。
【００１８】
（Ｂ）  本発明に係る引き戸用鎌錠の第２のものは、錠ケース３内に、閉戸時に戸枠体２への当接で後退するトリガー９と、その後退時に鎌部材４を前方へ回動させる作動部材１０と、前方への回動で戸枠体２の掛止金具７の掛止部材８へ先端部６が掛止可能な鎌部材４と、該鎌部材４を一定の基準線Ｌを境に前方または後方へ付勢するバネ１１を備えた引き戸用鎌錠において、上記鎌部材４の下方位置に、下部に重り部１６を有し上部寄りに腕片１７をもつと共に、引き戸１を閉めた際の慣性力で揺動可能な揺動部材１５を横軸１８で軸支し、戸枠体２の掛止部材８へ掛止状態になった直後の鎌部材４の周端縁の一部１９を、該揺動部材１５の腕片１７で一瞬間だけ支承可能とし、かつ、上記鎌部材４の支軸５を軸支する長孔２０を、前下方へも長く形成してなるものである。
【００１９】
【発明の実施の形態】
上記第１ないし第４の各引き戸用鎌錠において、バネ１１は、ねじりコイルバネが望ましく、一定の基準線Ｌを境にして、鎌部材４を前方（掛止金具７のある方向，例えば図３で左方向）へ回動するように付勢し、または後方（錠ケース３の奥側への方向，例えば図２で右方向）へ回動するように付勢する如く、一端部１３を鎌部材４に取付けてある。また該バネ１１の他端部１４は、作動部材１０の軸３４またはその他の箇所で、作動部材１０や揺動部材１５の動きを妨げぬ位置に掛止すればよい。
【００２０】
上記で一定の基準線Ｌとは、鎌部材４の支軸５とバネ１１の他端部１４とを結ぶ線を示し、鎌部材４に取付けたバネ１１の一端部１３の位置Ｑが該基準線Ｌよりも前方にある際に、バネ１１のバネ力は鎌部材４を前方へ回動するように付勢し、該基準線Ｌよりも後方にある際に、鎌部材４を後方へ回動するように付勢することになる。
【００２１】
上記バネ１１は、ねじりコイルバネに限らず圧縮コイルバネを用いてもよい。その場合の図示は省略するが、上記ねじりコイルバネと同様に圧縮コイルバネの一端部を、鎌部材４の先端部６が突出時の該鎌部材４の支軸５の下方位置に取付け、他端部を作動部材１０の軸３４またはその他の箇所で作動部材１０や揺動部材１５の動きを妨げぬ位置に掛止すればよい。この場合の基準線も、鎌部材４の支軸５とバネ１１の他端部１４とを結ぶ線である。
【００２２】
上記引き戸用鎌錠の第１または第２のものにおいて、揺動部材１５の上部寄りの腕片１７は前部に設けておき、重り部１６が前方へ揺動した際にその位置がより上方へ回動するようにしておくのがよい。
鎌部材４の周端縁の一部１９と揺動部材１５の腕片１７との関係は、引き戸１を閉めて鎌部材４の先端部６が、戸枠体２の掛止金具７の掛止部材８へ掛止状態になった際に、慣性力で下部の重り部１６が前方へ揺動した揺動部材１５の腕片１７が、その状態の鎌部材４の周端縁の一部１９を一瞬間だけ支承し（図３，図５参照）、その後に重り部１６が後方へ揺動した際に、腕片１７が鎌部材４の周端縁の一部１９から離脱するもの（図４，図６参照）である。
【００２３】
上記第１または第２のものにおいて、鎌部材４の周端縁の一部１９は揺動部材１５の腕片１７で支承される部分である。該周縁部の一部１９は、重り部１６の前方への揺動で一瞬間だけ支承した腕片１７が、重り部１６の後方への揺動でスムーズにそこから離れるように、腕片１７の先端部が揺動する際の軌跡に対応して、側面図で見て円弧状の凹状部１９に形成しておくのがよい。
【００２４】
上記で、鎌部材４の周端縁の一部１９と腕片１７の側端面とは、引き戸１のバウンドで鎌部材４が後方へ回動しようとする瞬間に当接するが、鎌部材４は常時バネ１１で上方へ付勢されているから、両者間には僅かな間隙が生じており、揺動部材１５の自重で腕片１７が前下方へ回動する際に支障とならないようになっている。
【００２５】
上記第２のもので、鎌部材４の支軸５を軸支する長い長孔２０を前下方へも長く形成したのは、上記と同様に揺動部材１５の重り部１６が前方へ揺動した際に一瞬間だけ支承した腕片１７が、重り部１６の後方への揺動でスムーズにそこから離れるようにするためである。
上記引き戸用鎌錠の第３または第４のものにおいて、係止片２１は鎌部材４の支軸５のほぼ下方位置に設けておくことが良く、上下方向へ移動可能としてあるが、該係止片２１を上方へ押すように押しバネ２２を設けてある。
【００２６】
鎌部材４に形成された凹欠部２３は、引き戸１を閉め戸枠体２の掛止金具７の掛止部材８へ掛止された状態時に、上記係止片２１の先端が引っ掛かる程度のもので、深くする必要はない。
上記押しバネ２２と凹欠部２３の関係は、引き戸１を閉じた際に、掛止金具７の掛止部材８へ先端部６が掛止された鎌部材４が、引き戸１のバウンド（跳ね返り）により後退して、後方へ回動し始めようとするのをその段階で係止し、かつ引き戸１を開ける場合には、鎌部材４が後方へ回動しようとするのを妨げぬ程度のもので足り、強力なものである必要はない。
【００２７】
上記第４のものにおいて、押しバネ２２の下方位置に設けたバネ力調節部２４は、引き戸１の種類や引き戸を設けた場所その他の状況により、バネ力の調節が必要となる場合のためである。このバネ力調節部２４としては、例えば押しバネ２２の下部に偏心カム２５を設けると共に、該偏心カム２５の回動軸２６を錠ケース３の前面板２７側から回動操作可能に設けておき、前面板２７側からの操作で偏心カム２５を回動させ、押しバネ２２の下端を押上げまたは下げられるようにすればよい（図８参照）。
【００２８】
しかしバネ力調節部２４は上記のものに限らず、図示は省略するが、押しバネ２２の下端を支持するラックを設け、該ラックと噛合するピニオンの回動軸を、錠ケース３の前板面２７側から回動操作可能に設けることにより、ラックの昇降を介して押しバネ２２の下端を押し上げるようにしてもよい。
上記第１ないし第４のものにおいて、鎌部材４の先端部６は、側面図で見て円弧状に形成すると共に、掛止金具７の掛止部材８で鎌部材４の先端部６が掛止される側の下半部を、鎌部材４の後退する方向へ傾斜状に形成しておくことが望ましい。これは、鎌部材４の先端部６の掛止が外れ易くするためである。
【００２９】
同じく第１ないし第４のものにおいて、錠ケース３の前面板２７には位置決め用突起２８を形成し、かつ戸枠体２の掛止金具７に、上記突起２８を係合可能な位置決め用凹所２９を形成すると共に、掛止金具７の取付け孔３０を上下方向への長孔に形成しておくことが望ましい。これは、鎌部材４の先端部６が掛止金具７の掛止部材８へ適正に掛止されることを維持するためである。
【００３０】
なお、上記各引き戸用鎌錠において、鎌部材４を本施錠状態にするためには、トリガー９の後部寄り部分にロック用係止部３３を形成すると共に、後退位置にあるトリガー９の該ロック用係止部３３を掛止すべく、室内側の施錠操作部３２の操作で作動可能なロック部材３１を設けておけばよい。
上記本発明に係る引き戸用鎌錠の作動状態は、次のようになる。上記第１ないし第４の各引き戸用鎌錠において、引き戸１が開いた状態では、鎌部材４は後方へ回動して錠ケース３内へ没入しており、かつトリガー９はその状態の鎌部材４に対応して作動部材１０で前方へ押され、錠ケース３の前面板２７の孔部から前方へ突出している。
【００３１】
引き戸１を閉じた際には、まずトリガー９の先端が戸枠体２の前面に当接して後退し始める。該トリガー９の後退に伴い、それと鎌部材７とを連結した作動部材１０が、鎌部材４に一端部１３を取付けたバネ１１のバネ力に抗して、該鎌部材４を前方へ押して回動させ始める。
該鎌部材４の前方への回動により、バネ１１の一端部１３の位置Ｑが、鎌部材４の支軸５と該バネ１１の他端部１４とを結ぶ基準線Ｌ上より前方へ出ると、バネ力は鎌部材４を前方へ回動させる方向へ付勢することになる。そのため、鎌部材４は自動的に前方へ回動され、その先端部６が戸枠体２の掛止金具７内へ入って掛止部材８で掛止され、該引き戸用鎌錠が自動的に仮施錠状態となる。
【００３２】
この仮施錠状態を更に本施錠状態にするには、その際に後退位置にきているトリガー９に対し室内側の施錠操作部３２を操作して、ロック部材３１をトリガー９のロック用係止部３３に係合させればよい。トリガー９が後退位置で固定・維持されることで、該トリガー９に一端部を連結された作動部材１０も回動が阻止され、その他端部が連結された鎌部材４も、先端部６が上記掛止部材８に掛止された状態を維持され、本施錠状態となる。
【００３３】
引き戸１を開ける場合は、上記引き戸用鎌錠が仮施錠状態にあるならば、そのまま引き戸１を開ければよく、本施錠状態にあるなら室内側の施錠操作部３２を操作して、トリガー９のロック用係止部３３からロック部材３１を離脱させた後に、引き戸１を開ければよい。
引き戸１が開けられると、鎌部材４の先端部６が掛止金具７の掛止部材８に引っ掛かったままで、引き戸１・錠ケース３と一緒に鎌部材４の支軸５も離れていくから、鎌部材４が遂には該支軸５を中心に後方へ回動し始め、その先端部６が掛止部材８から外れる。
【００３４】
鎌部材４の後方への回動で、バネ１１の一端部１３が、基準線Ｌ即ち鎌部材４の支軸５と該バネ１１の他端部１４とを結ぶ線よりも後方位置へ来ると、該バネ１１のバネ力はそれまで鎌部材４を前方へ付勢していた状態から、後方へ付勢する状態に変わる。これで、鎌部材４は支軸５を中心にさらに後方へ回動し、錠ケース３内へ自動的に没入し解錠されることになる（図２）。
【００３５】
ところで、引き戸１を閉めた場合に、戸枠体２との衝突で引き戸１がバウンドし（跳ね返り）、鎌部材４の先端部６も掛止部材８から外れてしまい、引き戸１が開くことがある。鎌部材４の先端部６が掛止金具７の掛止部材８に掛止された状態では、バネ１１が鎌部材４を前方へ回動する方向へ付勢しているから、通常は引き戸１がバウンドしようとしても、鎌部材４の先端部６の掛止は外れず、引き戸１が開くようなことはない。
【００３６】
しかし、引き戸１を閉める力が強すぎたり、引き戸１が軽かったり、戸車とレール等との滑りが良過ぎたりした場合には、引き戸１を閉めた際に戸枠体２との衝突によるバウンド力が大きくなる。鎌部材４の先端部６が掛止部材８に一旦掛止されても、バウンド力がバネ１１の力より大きいと、上記の引き戸１を開ける場合と同様に、鎌部材４が支軸５を中心に後方へ回動し始め、先端部６が遂には掛止部材８から外れ、引き戸１が開いてしまう。
【００３７】
その防止のために、本発明の引き戸用鎌錠の第１のものでは、鎌部材４の下方位置に、下部に重り部１６を有し上部寄りに腕片１７をもつ揺動部材１５を横軸１８で軸支し、引き戸１を閉めた際の慣性力で揺動する該揺動部材１５が、掛止金具７の掛止部材８へ掛止状態になった直後の鎌部材４の周端縁の一部１９を、上記腕片１７で一瞬間だけ支承可能としてある。
【００３８】
これにより、引き戸１を閉めた際には、上記の如く鎌部材４が前方へ回動して先端部６が掛止金具７の掛止部材８へ掛止されるが、それと同時に引き戸１を閉めた際の慣性力で、揺動部材１５が下部の重り部１６を前方へ揺動させる。そのため、該揺動部材１５上部寄りの腕片１７がより上方へ回動し、その側端部が掛止状態になった直後の鎌部材４の周端縁の一部１９の後下方へ来て、該周端縁１９を後下方から一瞬間だけ支承可能となる（図３参照）。
【００３９】
これで、引き戸１が戸枠体２との衝突でバウンドして後退し、鎌部材４が支軸５を中心に後方へ回動しようとした際には、該鎌部材４は後下方を揺動部材１５の腕片１７で支承され、回動を阻止されているから、鎌部材４は回動せずその先端部６が掛止部材８と掛止状態のままであり、鎌部材４を前または後方へ押圧するバネ１１の力を強くせずとも、バウンドで引き戸１が開くようなことは無い。
【００４０】
上記で鎌部材４が腕片１７により回動を阻止されるのはほんの一瞬間だけである。即ち、引き戸１を閉めた際の慣性力で一旦前方へ揺動した揺動部材１５下部の重り部１６は、その後自重で直ちに後方へ揺動するから、上部寄りの腕片１７は直ちに前下方へ回動して、鎌部材４の周端縁の一部１９の後下方から直ちに離れ、支承状態が解除される。
【００４１】
なお、鎌部材４の周端縁の一部１９と腕片１７の側端面とは、引き戸１のバウンドで鎌部材４が後方へ回動しようとする瞬間に当接するが、鎌部材４は常時バネ１１で上方へ付勢されているから、両者間には僅かな間隙が生じており、揺動部材１５の自重で腕片１７が前下方へ回動する際に支障とはならない。
そのため、後に引き戸１を開ける場合には、鎌部材４は揺動部材１５の腕片１７による支承を受けておらず、揺動部材１５を備えないものと同様の軽い力で引き戸１を開けることができて、老人や子供等でも容易に自動的に仮施錠を解除できる。
【００４２】
次に、本発明の引き戸用鎌錠の第２のものでは、上記第１のものに加えて鎌部材４の支軸５を前下方へ長い長孔２０にて軸支させてある。そのため、引き戸１を閉めた際には、上記第１のものと同様に、鎌部材４が前方へ回動して先端部６が掛止金具７の掛止部材８へ掛止されると同時に、引き戸１を閉めた際の慣性力で揺動部材１５の腕片１７が、鎌部材４の周端縁の一部１９を後下方から支承する（図５参照）。
【００４３】
これで、先端部６を掛止された鎌部材４は、上記第１のものと同様に、引き戸１のバウンドで後退し後方へ回動しようとしても、腕片１７で回動が阻止されているから、掛止部材８と先端部６の掛止が解かれず、引き戸１がバウンドで開くことはない。
そしてこの第２のものでは、鎌部材４の支軸５が前下方へ長い長孔２０に係合させてあるから、引き戸１がバウンドしようとした際、先端部６を掛止部材８に掛止された鎌部材４は、支軸５が前下方へも長い長孔２０に沿って前下方へ移動する。これで、鎌部材４の周端縁の一部１９とそれを後下方から支承する揺動部材１５の腕片１７との間に、僅かながら前後方向に少し隙間が生じる。他面で、該鎌部材４はバネ１１で常に上方へ付勢を受けているから、その後直ちに長孔２０に沿って押し上げられ、ここでも周端縁の一部１９とそれを後下方から支承する揺動部材１５の腕片１７との間で、僅かながら上下方向に隙間が生じる。
【００４４】
この隙間により、揺動部材１５の腕片１７は、鎌部材４の周端縁の一部１９からより一層容易に滑り落ちて離れることになり、支承状態が解除される（図６参照）。そのため、後に引き戸１を開ける場合に、上記第１の場合と同様に鎌部材４は軽い力で開けられることになり、老人・子供等でも仮施錠状態を自動的に解除することができる。
【００４５】
次に、本発明の引き戸用鎌錠の第３のものでは、鎌部材４の下方位置に、押しバネ２２で上方へ付勢された係止片２１を設け、掛止金具７の掛止部材８へ先端部６が掛止された際の鎌部材４の下端縁の位置に、係止片２１引っ掛かる凹欠部２３を形成してある。
これにより、引き戸１を閉めた際に鎌部材４が前方へ回動して、先端部６が掛止部材８へ掛止されると同時に、その状態の鎌部材４下端縁の凹欠部２３部に、押しバネ２２で付勢された係止片２１が下方から係合する（図７参照）。そのため引き戸１を閉めた際に、戸枠体２との衝突で引き戸１がバウンドし、鎌部材４を後退・回動させようとしても、凹欠部２３が係止片２１で掛止されており鎌部材４は回動しない。これで、鎌部材４の先端部６は掛止部材８から外れず、引き戸１がバウンドで開くことがない。
【００４６】
上記で押しバネ２２付き係止片２１は、鎌部材４のほぼ下方位置に設けてあるから、支軸５を中心に回動する鎌部材４に対し、押しバネ２２のバネ力を受けた係止片２１はほぼ垂直状に作用している。そのため、この押しバネ２２付き係止片２１による力は、鎌部材４が後方へ回動する際に回動を阻止する分力としてはさほど大きくないから、引き戸１を引いて開けようとする場合に、該バネ付き係止片２１を持たぬものと殆ど同様の力で、軽く引き戸１を開くことができ、仮施錠を自動的に解除できる。
【００４７】
また、本発明の引き戸用鎌錠の第４のものでは、上記第３のものに加えて、押しバネ２２の下方位置に、該バネ２２の下端を押上げまたは下げることを可能にバネ力調節部２４を設けてある（図８参照）。
この場合も、上記第３のものと同様に、引き戸１を閉めた際に鎌部材４の先端部６が掛止部材８へ掛止されると同時に、その状態の鎌部材４下端縁の凹欠部２３へ押しバネ２２付き係止片２１が下方から係合する。そのため、鎌部材４は回動を阻止され先端部６が掛止部材８へ掛止したままであり、引き戸１がバウンドで開いたりしない。また引き戸１を引いて開けようとする場合は、このバネ付きの係止片２１を持たぬものと殆ど同様の力で、自動的に仮施錠を解除できる。
【００４８】
しかし、引き戸１の種類や設置場所その他の状況によっては、上記押しバネ２２のバネ力を調節する方がよいこともある。そのような場合に、バネ力調節部２４を錠ケース３の前面板２７側から操作して、押しバネ２２下端を上または下へ移動させればよい。
これで、押しバネ２２のバネ力を強・弱に調節し適切なものにできて、引き戸１を閉めた際は確実に自動的に施錠状態となり、バウンドで引き戸１が開くことも無く、また引き戸１を開ける際に大きな力を必要とせず、老人等でも容易に仮施錠を解除することができるように設定することができる。
【００４９】
なお、上記第１ないし第４のもので、鎌部材４の先端部６を側面図で見て円弧状に形成すると共に、掛止金具７の掛止部材８を、鎌部材４の先端部６が掛止される側で下半部を下部寄り程手前へ傾斜状に形成してあれば、引き戸１を開けて鎌部材４が後方へ回動する際に、先端部６が掛止部材８から一層スムーズに外れ易くなり、軽い力で引き戸１を開けられる。
【００５０】
さらに、錠ケース３の前面板２７に位置決め用突起２８を形成し、かつ掛止金具７に上記突起２８を係合可能な位置決め用凹所２９を形成すると共に、掛止金具７の取付け孔３０を上下に長く形成してあれば、掛止部材７の取付位置を該取付用孔３０で下方へ移動させることができる。例えば、当初の取付位置の誤差や戸車やレールの磨耗等で、鎌部材４の先端部６が掛止金具７の掛止部材８へ適正に掛止されないような場合に、常に突起２８が凹所２９に係合するようにして、鎌部材４の先端部６が係止部材８へ適正な掛止状態を維持できる。
【００５１】
【実施例】
まず、図２ないし図４は、本発明に係る引き戸用鎌錠の第１のものの実施例を示し、図５および図６は第２のものの実施例を示す。
上記いずれのものも、錠ケース３は、引き戸１の前部に形成した凹所内に、前面板２７が露出するように取付けられている（図１参照）。該錠ケース３内で前上部寄りに、鎌部材４が基部を支軸５で回動可能に設けてあり、該鎌部材４は、先細の先端部６が錠ケース３の前面板２７の開口から出て戸枠体２の前部に取り付けた掛止金具７に係合し、係止部材８で掛止可能としてある。また該鎌部材４の支軸５は、錠ケース３の両側板に形成した前後方向の長孔２０に係合させてあり、その上部寄りに設けた短いねじりコイルバネ１２で常時は該長孔２０の前部寄りへ付勢されている。
【００５２】
錠ケース３内の下部寄りには、トリガー９を前後方向へ移動可能に設けて、後記作動部材１０を介して後記バネ１１の付勢を受け、周知のものと同様に常時は先部寄りが錠ケース３の前面板２７の丸孔から突出可能で、かつ先端が戸枠体２の前面に当接して押された際に、錠ケース３内へ後退・没入可能としてある。
上記鎌部材４とトリガー９間には、板状の作動部材１０を連結させてあるが、後記揺動部材１５を避けて略くの字状をしている。即ち該作動部材１０は、下部寄り部分を錠ケース３に固定の軸３４にて回動可能に軸支してあり、鎌部材４とは、その上部に設けたピン３５を鎌部材４中央部寄りに形成の円弧状長孔３６に係合させて連結し、他方トリガー９とは、該作動部材１０下部に形成した二股部４５に、トリガー９後部寄り側部に突設したピン３７に套合させ連結してある。なお、該ピン３７に対しては、錠ケース３の側面にガイド用長孔３８を形成してあり、トリガー９の出入をガイドしている。
【００５３】
また上記鎌部材４には、該鎌部材４が一定位置から前方へ回動時に前方へ付勢し、後方へ回動時に後方へ付勢する如くバネ１１を設けてある。即ち、ここではバネとしてねじりコイルバネ１１を用いており、該バネ１１の一端部１３を、鎌部材４の先端部６が突出時の該鎌部材４の支軸５の下方位置にバネ支持ピン３９にて取付け、その中心点をＱとする。そして、該ねじりコイルバネ１１の他端部１４を、ここでは上記作動部材１０の軸３４に掛止させて、その中心点をＰとしてある。
【００５４】
なお上記バネ１１は、ねじりコイルバネに限らず圧縮コイルバネを用いてもよく、図示は省略するが、その場合も該圧縮コイルバネの一端部は、鎌部材４の先端部６が突出時の該鎌部材４の支軸５の下方位置に取付け、他端部は作動部材１０の軸３４またはその他の箇所で作動部材１０や揺動部材１５の動きを妨げぬ位置に取付ければよいことは上記のとおりである。
【００５５】
上記トリガー９は、前部寄り部分４０と後部寄り部分４１との２部品で構成してある。これは、引き戸１と戸枠体２間に衝突音減少用クッション材（図示略）を装着した場合に、その厚みで生じる間隙分だけ余分に突出可能とするためであり、その前部寄り部分４０には後方へ雄ネジ部を突設し、後部寄り部分４１の前端面から後方へ雌ネジ部を形成して、両者は螺合して長さを調節し一体化してある。
【００５６】
そして、ここでは上記鎌部材４の下方位置に、下部に重り部１６を有すると共に上部寄りに前方への腕片１７をもつほぼ逆Ｌ字形状の揺動部材１５を、その上部寄りに横軸１８を通挿して軸支してある。該揺動部材１５は、引き戸１を閉めた際の慣性力で下部の重り部１６が前・後方へ揺動可能なものであり、該腕片１７の側端面を円弧状に形成してある。
【００５７】
また上記鎌部材４の周端縁の一部、ここでは戸枠体２の掛止部材８へ掛止状態になった際の後下部を凹状部１９に形成してある。該凹状部１９は、上記揺動部材１５が揺動時に腕片１７の側端面が描く軌跡に沿った円弧状に形成したものである。
上記揺動部材１５の腕片１７と鎌部材４の凹状部１９とは、引き戸１を閉めた場合に鎌部材４の先端部６が戸枠体２の掛止部材８へ掛止され、その際の慣性力で揺動部材１５の重り部１６が前方へ揺動し、腕片１７が後方へ揺動した状態時に、腕片１７の側端面が凹状部１９の後下部へ来て後下方から一瞬間だけ支承可能としてある。
【００５８】
この腕片１７による鎌部材４の支承は上記の如く一瞬間であり、揺動部材１５の重り部１６がその後に後方へ揺動し、腕片１７が前方へ揺動した際には、腕片１７は鎌部材４の凹状部１９からの後下方から離れ、支承状態が解かれるようになっている。
そして、本発明の第２のものを示す図５および図６では、上記第１のものに加えて、鎌部材４の支軸５を受ける長孔２０は、重り部１６の後方への揺動で腕片１７が凹状部１９からスムーズに離脱可能とするために、前下方へも長孔に形成してある。
【００５９】
これにより、引き戸１がバウンドしようとする際に、鎌部材４は支軸５が長孔２０に沿って前方へ少し移動すると共に、その後ねじりコイルバネ１１のバネ力で上方へ戻ることで、揺動部材１５の腕片１７の側端部との間の隙間が少し大きくなる。そのため、該揺動部材１５の腕片１７が鎌部材４の凹状部１９の後下方からより一層スムーズに離れるようになっている。
【００６０】
他方、図７は本発明に係る引き戸用鎌錠の第３のものの実施例を示し、図８は第４のものの実施例を示す（なお、上記の実施例と共通する部分の説明は簡略して記す）。
錠ケース３内に、前方への回動で戸枠体２の掛止金具４へ先端部６が掛止可能な鎌部材４と、閉戸時に戸枠体２への当接で後退するトリガー９と、その後退時に鎌部材４を前方へ回動させる作動部材１０と、一定の基準線Ｌを境に鎌部材４を前方または後方へ付勢するねじりコイルバネ１１を備えた引き戸用鎌錠において、ここでは上記揺動部材１５に代わる機構が設けてある。
【００６１】
即ち、上記鎌部材４の支軸５のほぼ下方位置に、押しバネ２２で上方へ付勢された係止片２１を設けると共に、引き戸１を閉め戸枠体２の掛止金具７の掛止部材８へ掛止された状態の鎌部材４の下端縁の位置に、上記係止片２１の先端が引っ掛かる凹欠部２３を形成してある。
上記係止片２１は先端が三角状に少し尖った形状をし、後記鎌部材４の凹欠部２３へ先端が引っ掛かるようにしてあり、下部を上方への押しバネ２２で支承させてある。該係止片２１と押しバネ２２は、錠ケース３の前板とガイド縦板４２との間にあって上下動可能であり、係止片２１の一部がガイド縦板４２の折返し上部４３で係止して、上方への突出を規制されている。
【００６２】
上記凹欠部２３の深さと押しバネ２２のバネ力は、先端部６を掛止部材８で掛止された鎌部材４が引き戸１のバウンドで後方へ回動し始めるのを阻止し、かつ引き戸１を開ける場合に鎌部材４が後方へ回動するのを妨げぬ程度に、錠の大きさ・用途等に応じて設定しておくが、あまり深くまた強くする必要はない。
そして、引き戸用鎌錠の第４のものを示す図８では、バネ力調節部２４を設けてある。バネ力調節部２４としてここでは、押しバネ２２の下方位置に側面図で見て凸状のバネ受け部材４４を介し偏心カム２５を設け、その回動軸２６を錠ケース３の前板とガイド縦板４２間に軸支してある。該偏心カム２５の回動軸２６は、前端部にドライバー先端が係合可能な操作用溝が形成されて、錠ケース３の前面板２７の窓孔４６へ露呈させてある。
【００６３】
これは、引き戸１の種類や引き戸を設けた場所その他の状況により、押しバネ２２のバネ力の調節が必要となる場合のためであり、前面板２７側から回動軸２６を操作して偏心カム２５を回動させ、押しバネ２２の下端を押上げまたは下げるようにしたものである。
なお、上記バネ力調節部２４は上記のものに限らない。図８におけるバネ受け部材４４を、図示は省略するが下方へ屈曲してその側面にラック部を形成し、該ラック部と噛合するように設けたピニオンの回動軸を、錠ケース３の前板面２７側から回動操作可能に設けるようにして、ラック部の昇降を介して押しバネの下端を押し上げまたは下げるようにしてもよい。
【００６４】
上記各実施例では、鎌部材４の先端部６と掛止金具７の掛止部材８は、特に引き戸１を開ける際の鎌部材４の後方への回動をよりスムーズに行えるようにするため、先端部６を側面図でみて円弧状に形成すると共に、掛止部材８で鎌部材４の先端部６が掛止される側の下半部を、下部寄り程、鎌部材４が後退する方向へ傾斜状に形成してある。
【００６５】
また、錠ケース３の前面板２７と掛止金具７との間では、両者の上下位置関係を適切に設定するために、前面板２７の一部に位置決め用突起２８を突設し、掛止金具７に上記突起２８が係合可能な位置決め用凹所２９を形成し、かつ該掛止金具７の戸枠体２への取付用孔３０を上下へ長孔に形成してある。これで、鎌部材４の先端部６が掛止部材８との間でスムーズに作動し、常に適正に掛止されかつ解錠されるようになる。
【００６６】
さらに、上記各引き戸用鎌錠において、鎌部材４を本施錠状態にするため、トリガー９の後部寄り部分にロック用係止部３３を形成すると共に、室内側の施錠操作部３２の操作で作動し後退位置にあるトリガー９のロック用係止部３３へ係合して掛止可能なロック部材３１を設けてある。
また、上記各実施例で、上記掛止金具７の掛止部材８は、回動だけ可能な調節ネジ４７により、その位置を前後方向へ可変としてある。クッション材を装着し閉戸時に間隙が生じる場合に、トリガー９の前部寄り部分４０を前方へ突出させるのに対応して、上記間隙に相当する分だけ該掛止部材８を前方へ移動可能としてある。
【００６７】
【発明の効果】
以上で明らかな如く、本発明に係る引き戸用鎌錠は、引き戸の閉または開で自動的に仮施錠状態になったり解除されたりする構造の引き戸用鎌錠において、引き戸を開けた際に仮施錠状態が自動的に解除される機能を害することなく、引き戸のバウンドを確実に防止できると共に、軽い力で引き戸を開けることができるものである。
【００６８】
即ち、従来も引き戸を開ける際に仮施錠状態が自動的に解除され、引き戸を閉じた際のバウンドを防止した引き戸用鎌錠は有った。しかし、引き戸が軽かったり敷居・レール等との滑りが良過ぎるとバウンドが大きくなり、引き戸を閉めた際に一旦掛止された鎌部材の先端部がバネの力に打ち勝って掛止部材から外れ、バウンドを防止できず引き戸が開いてしまった。また上記バネ等の力を強くすると、鎌部材が後方へ回動し難くなり、老人・子供等が容易に引き戸を開けられなくなり、かつ引き戸を開けることで仮施錠状態が自動解除される機能を損なったりした。
【００６９】
これに対して本発明の引き戸用鎌錠の第１のものでは、鎌部材の下方位置に、引き戸を閉めた際の慣性力で揺動可能な揺動部材を設け、戸枠体の掛止部材へ掛止状態になった直後の鎌部材の周端縁の一部を、該揺動部材の腕片で一瞬間だけ支承可能とした。これにより、引き戸を開けた際に仮施錠状態が自動的に解除される機能を害することなく、かつ鎌部材を前方または後方へ押圧するバネの力を強くすることなく、引き戸のバウンドを確実に防止できる。また揺動部材の反対方向への揺動で、腕片は鎌部材の周端縁の一部から直ちに外れるので、引き戸を軽い力で開けることができる。
【００７０】
本発明の引き戸用鎌錠の第２のものでは、上記第１のものの構成に加えて、鎌部材の支軸を、前下方への長孔にて軸支させてある。これにより、上記第１のものの効果に加えて、引き戸がバウンドする際に鎌部材は前方へ少し移動すると共に、その後掛止部材に掛止された鎌部材を前上方へ付勢しているバネのバネ力で上方へ戻る。これで、鎌部材の周端縁の一部と揺動部材の腕片との間の隙間が増大して、揺動部材は鎌部材の周端縁の一部からより一層スムーズに外れるので、やはり引き戸を軽い力で開けて自動解錠することができる。
【００７１】
本発明の引き戸用鎌錠の第３のものでは、鎌部材のほぼ下方位置に、バネで上方へ付勢された係止片を設けると共に、掛止部材へ掛止された状態の鎌部材の下端縁の位置に、上記係止片の先端が引っ掛かる凹欠部を形成してある。これにより、引き戸を閉めた際に先端部が掛止状態になった直後の鎌部材の周端縁の凹欠部を係止片が引っ掛けて、引き戸のバウンド時の鎌部材の後方への回動を係止する。これで、引き戸のバウンドを確実に防止できると共に、鎌部材の下方位置を係止片が係止するので軽いバネ力でよく、引き戸を開ける際の鎌部材の後方への回動に支障がないから、軽い力で引き戸を開けて自動解錠することができる。
【００７２】
本発明の引き戸用鎌錠の第４のものでは、上記第３のものの構成に加えて、押しバネの下方位置に、該バネの下端を押上げ可能にバネ力調節部を設けて、その回動軸を錠ケース前面板側から回動操作可能としてある。これにより、上記第３の効果に加えて、引き戸の種類や引き戸を設けた場所その他の状況で、バネ力の調節が必要となる場合に、前面板側からの操作で押しバネのバネ力を調節でき、より確実に引き戸のバウンドを阻止すると共に、引き戸を軽い力で開けて自動解錠することができる。
【００７３】
なお、上記第１ないし第４のものに付設して、鎌部材の先端部を側面図で見て円弧状にし、掛止金具の掛止部材で鎌部材の先端部が掛止される側の下半部を、鎌部材が後退する方向へ傾斜状に形成してあれば、第１ないし第４のものの作動を、より一層スムーズに行うことができる。
同じく上記第１ないし第４のものに付設して、錠ケースの前面板に位置決め用突起を形成し、かつ掛止金具に上記突起を係合可能な位置決め用凹孔を形成すると共に、掛止金具の取付け孔を長孔に形成してあれば、引き戸の鎌錠と戸枠体の掛止金具とが、当初の取付位置に上下の誤差があったり、戸車やレールの磨耗で取付位置が変化した場合に、それに対応して掛止部材の取付位置を調節できて、常に作動をスムーズに行うことができる。
【図面の簡単な説明】
【図１】  本発明に係る引き戸用鎌錠の実施例を示す一部切り欠き側面図である。
【図２】  本発明の第１のものの実施例で、引き戸が開いた状態の縦断側面図である。
【図３】  図２で示した実施例で、引き戸を閉めた直後に揺動部材が鎌部材の周端縁の一部を支承可能となった状態の縦断側面図である。
【図４】  図２で示した実施例で、揺動部材が鎌部材の周端縁の一部から離れた状態の縦断側面図である。
【図５】  本発明の第２のものの実施例で、引き戸を閉めた直後に揺動部材が鎌部材の周端縁の一部を支承可能となった状態の縦断側面図である。
【図６】  図５で示した実施例で、揺動部材が鎌部材の周端縁の一部から離れた状態の縦断側面図である。
【図７】  本発明の第３のものの実施例で、引き戸を閉めた直後に係止片が鎌部材の周端縁の凹欠部を係止した状態の縦断側面図である。
【図８】  本発明の第４のものの実施例で、引き戸を閉めた直後に係止片が鎌部材の周端縁の凹欠部を係止した状態の縦断側面図である。
【符号の説明】
１    引き戸
２    戸枠体
３    錠ケース
４    鎌部材
５    支軸
６    先端部
７    掛止金具
８    掛止部材
９    トリガー
１０  作動部材
１１  バネ
１２  ねじりコイルバネ
１３  一端部
１４  他端部
１５  揺動部材
１６  重り部
１７  腕片
１８  横軸
１９  周端縁の一部，凹状部
２０  長孔
２１  係止片
２２  押しバネ
２３  凹欠部
２４  バネ力調節部
２５  偏心カム
２６  回動軸
２７  前面板
２８  突起
２９  凹所
３０  取付用孔
３１  ロック部材
３２  施錠操作部
３３  ロック用係止部
３４  軸
３５  ピン
３６  円弧状長孔
３７  ピン
３８  ガイド用長孔
３９  バネ支持ピン
４０  前部寄り部分
４１  後部寄り部分
４２  ガイド縦板
４３  折返し上部
４４  バネ受け部材
４５  二股部
４６  窓孔
４７  調節ネジ
Ｑ    一端部の位置
Ｐ    他端部の位置
Ｌ    基準線
【図１】
0003790599.tif 000002
【図２】
0003790599.tif 000003
【図３】
0003790599.tif 000004
【図４】
0003790599.tif 000005
【図５】
0003790599.tif 000006
【図６】
0003790599.tif 000007
【図７】
0003790599.tif 000008
【図８】
0003790599.tif 000009